【手続補正書】
【提出日】平成21年1月16日(2009.1.16)
【手続補正１】
【補正対象書類名】明細書
【補正対象項目名】特許請求の範囲
【補正方法】変更
【補正の内容】
【特許請求の範囲】
【請求項１】  水平方向及び垂直方向に配列された複数の画素と、垂直画素列毎に設けられ垂直方向に電荷を転送する複数の垂直電荷転送素子と、前記複数の垂直電荷転送素子から転送される電荷を水平方向に転送する水平電荷転送素子と、前記水平電荷転送素子により転送される電荷を電気信号に変換する出力回路とを備えた撮像手段と、
前記撮像手段を所定の複数の読み出しモードで駆動するための駆動パルスを前記撮像手段に供給するタイミング発生手段と、
を備え、
前記タイミング発生手段は、前記撮像手段を駆動する前記駆動パルスの駆動周波数を、前記複数の読み出しモードに応じて、第１の周波数と、前記第１の周波数より低い第２の周波数とのいずれかに切り換えることを特徴とする撮像装置。
【請求項２】  前記タイミング発生手段が、前記撮像手段を前記第１の周波数で駆動する読み出しモードは、前記撮像手段から、複数のフィールド期間で全ての電荷を読み出す第１の読み出しモードであることを特徴とする請求項１に記載の撮像装置。
【請求項３】  前記タイミング発生手段が、前記撮像手段を前記第１の周波数で駆動する読み出しモードは、前記撮像手段から、複数のライン毎の電荷を読み出す第２の読み出しモードであることを特徴とする請求項１に記載の撮像装置。
【請求項４】  前記タイミング発生手段が、前記撮像手段を前記第２の周波数で駆動する読み出しモードは、前記撮像手段から、前記第１の読み出しモードで読み出されるライン数より少ないライン数の電荷を読み出す第３の読み出しモードであることを特徴とする請求項２に記載の撮像装置。
【請求項５】  前記第３の読み出しモードは、前記撮像手段から垂直方向に所定のライン毎に間引いた電荷を読み出す読み出しモードあるいは、垂直方向に所定のライン毎に加算した電荷を読み出す読み出しモードであることを特徴とする請求項４に記載の撮像装置。
【請求項６】  前記複数の画素において、垂直方向に連続して配置された１２個の水平画素列を１組として構成し、該１２個の水平画素列を該垂直方向に順に第１水平画素列、第２水平画素列、第３水平画素列、第４水平画素列、第５水平画素列、第６水平画素列、第７水平画素列、第８水平画素列、第９水平画素列、第１０水平画素列、第１１水平画素列、及び第１２水平画素列としたときに、
前記第１水平画素列、第４水平画素列、第７水平画素列及び第１０水平画素列の電荷を前記垂直電荷転送素子に選択的に読み出す第１の読み出し手段と、
前記第２水平画素列、第５水平画素列、第８水平画素列及び第１１水平画素列の電荷を前記垂直電荷転送素子に選択的に読み出す第２の読み出し手段と、
前記第３水平画素列、第６水平画素列、第９水平画素列及び第１２水平画素列の電荷を前記垂直電荷転送素子に選択的に読み出す第３の読み出し手段と、
前記第１水平画素列及び第１０水平画素列の電荷を前記垂直電荷転送素子に選択的に読み出す第４の読み出し手段と、
前記第５水平画素列及び第８水平画素列の電荷を前記垂直電荷転送素子に選択的に読み出す第５の読み出し手段とを備えたことを特徴とする請求項１に記載の撮像装置。
【請求項７】  前記タイミング発生手段が、前記撮像手段を前記第１の周波数で駆動する読み出しモードは、
前記第１の読み出し手段を用いて、前記垂直電荷転送素子に読み出した前記第１水平画素列、第４水平画素列、第７水平画素列及び第１０水平画素列の電荷を、前記垂直電荷転送素子及び前記水平電荷転送素子を介して転送し、それぞれ独立に前記出力回路から出力し、
前記第２の読み出し手段を用いて、前記垂直電荷転送素子に読み出した前記第２水平画素列、第５水平画素列、第８水平画素列及び第１１水平画素列の電荷を、前記垂直電荷転送素子及び前記水平電荷転送素子を介して転送し、それぞれ独立に前記出力回路から出力し、
前記第３の読み出し手段を用いて、前記垂直電荷転送素子に読み出した前記第３水平画素列、第６水平画素列、第９水平画素列及び第１２水平画素列の電荷を、前記垂直電荷転送素子及び前記水平電荷転送素子を介して転送し、それぞれ独立に前記出力回路から出力することにより、
前記撮像手段の全ての電荷を読み出す第４の読み出しモードであることを特徴とする請求項６に記載の撮像装置。
【請求項８】  前記タイミング発生手段が、前記撮像手段を前記第１の周波数で駆動する読み出しモードは、
前記第１の読み出し手段、前記第２の読み出し手段及び前記第３の読み出し手段のいずれか一つを用いて、前記垂直電荷転送素子に読み出した水平画素列の電荷を、前記垂直電荷転送素子及び前記水平電荷転送素子を介して転送し、それぞれ独立に前記出力回路から出力することにより、前記撮像手段の電荷を垂直方向に１／３に間引いて読み出す第５の読み出しモードであることを特徴とする請求項６に記載の撮像装置。
【請求項９】  前記タイミング発生手段が、前記撮像手段を前記第１の周波数で駆動する読み出しモードは、
前記第１の読み出し手段及び前記第３の読み出し手段を用いて、前記垂直電荷転送素子に読み出した前記第１水平画素列及び前記第３水平画素列の電荷、前記第４水平画素列及び前記第６水平画素列の電荷、前記第７水平画素列及び前記第９水平画素列の電荷、前記第１０水平画素列及び前記第１２水平画素列の電荷をそれぞれ前記垂直電荷転送素子内で加算し、前記加算した信号を、前記垂直電荷転送素子及び前記水平電荷転送素子を介して転送し、それぞれ独立に前記出力回路から出力することにより、２画素分の信号が加算され、かつ垂直方向に１／３に間引いて読み出す第６の読み出しモードであることを特徴とする請求項６に記載の撮像装置。
【請求項１０】  前記タイミング発生手段が、前記撮像手段を前記第２の周波数で駆動する読み出しモードは、
前記第４の読み出し手段及び前記第５の読み出し手段のいずれか一つを用いて、前記垂直電荷転送素子に読み出した水平画素列の電荷を、前記垂直電荷転送素子及び前記水平電荷転送素子を介して転送し、それぞれ独立に前記出力回路から出力することにより、前記撮像手段の電荷を垂直方向に１／６に間引いて読み出す第７の読み出しモードであることを特徴とする請求項６に記載の撮像装置。
【請求項１１】  前記タイミング発生手段が、前記撮像手段を前記第２の周波数で駆動する読み出しモードは、
前記第４の読み出し手段及び前記第５の読み出し手段を用いて、前記垂直電荷転送素子に読み出した、前記第１水平画素列及び前記第５水平画素列の電荷、前記第８水平画素列及び前記第１０水平画素列の電荷をそれぞれ前記垂直電荷転送素子内で加算し、前記加算した信号を、前記垂直電荷転送素子及び前記水平電荷転送素子を介して転送し、それぞれ独立に前記出力回路から出力することにより、２画素分の信号が加算され、かつ垂直方向に１／６に間引いて読み出す第８の読み出しモードであることを特徴とする請求項６に記載の撮像装置。
【請求項１２】  水平方向及び垂直方向に配列された光信号に対応した電荷を発生する複数の画素と、垂直方向の複数の画素列毎に設けられ、前記画素で発生した電荷を受けて垂直方向に転送する複数の垂直電荷転送素子と、前記複数の垂直電荷転送素子から転送される電荷を受けて水平方向に転送する水平電荷転送素子とを有する撮像手段と、
複数のフィールド期間で全ての信号を前記撮像手段より読み出す第１の読み出しモードと、複数ライン毎の画素の信号を間引いた１フィールドの信号を前記撮像手段より読み出す第２の読み出しモードと、前記第２の読み出しモードよりも間引くライン数を多くして１フィールドの信号を前記撮像手段より読み出す第３の読み出しモードとで駆動するタイミング発生手段とを有し、
前記タイミング発生手段は、前記駆動手段を、前記第１及び第２の読み出しモードでは第１の駆動周波数で駆動し、前記第３の読み出しモードでは前記第１の駆動周波数よりも低い第２の駆動周波数で駆動することを特徴とする撮像装置。
【請求項１３】  前記第１の読み出しモードでは、各フィールドで２ライン毎の画素の信号を間引き、全ての信号を３フィールドで読み出すことによって、該３フィールドの信号を前記撮像手段より読み出し、
前記第２の読み出しモードでは、２ライン毎の画素の信号を間引くことによって、１フィールドの信号を前記撮像手段より読み出し、
前記第３の読み出しモードでは、前記第２の読み出しモードの半分のライン数で１フィールドの信号を読み出すことを特徴とする請求項１２に記載の撮像装置。
【請求項１４】  前記撮像手段から出力された信号を用いて動画像を表示する表示手段と、前記第１の読み出しモードで得られた信号に対して静止画像処理を行い、静止画像を記録し、前記第２の読み出しモードで得られた信号に対して動画像処理を行い、動画像を記録し、前記第３の読み出しモードで得られた信号を用いて動画像を前記表示手段に表示するように制御する制御手段とを有することを特徴とする請求項１２又は請求項１３に記載の撮像装置。
【手続補正２】
【補正対象書類名】明細書
【補正対象項目名】０００９
【補正方法】変更
【補正の内容】
【０００９】
【課題を解決するための手段】
本願発明の撮像装置は、水平方向及び垂直方向に配列された複数の画素と、垂直画素列毎に設けられ垂直方向に電荷を転送する複数の垂直電荷転送素子と、前記複数の垂直電荷転送素子から転送される電荷を水平方向に転送する水平電荷転送素子と、前記水平電荷転送素子により転送される電荷を電気信号に変換する出力回路とを備えた撮像手段と、
前記撮像手段を所定の複数の読み出しモードで駆動するための駆動パルスを前記撮像手段に供給するタイミング発生手段と、
を備え、
前記タイミング発生手段は、前記撮像手段を駆動する前記駆動パルスの駆動周波数を、前記複数の読み出しモードに応じて、第１の周波数と、前記第１の周波数より低い第２の周波数とのいずれかに切り換えることを特徴とする。
【手続補正３】
【補正対象書類名】明細書
【補正対象項目名】００１１
【補正方法】変更
【補正の内容】
【００１１】
本願発明の撮像装置は、水平方向及び垂直方向に配列された光信号に対応した電荷を発生する複数の画素と、垂直方向の複数の画素列毎に設けられ、前記画素で発生した電荷を受けて垂直方向に転送する複数の垂直電荷転送素子と、前記複数の垂直電荷転送素子から転送される電荷を受けて水平方向に転送する水平電荷転送素子とを有する撮像手段と、
複数のフィールド期間で全ての信号を前記撮像手段より読み出す第１の読み出しモードと、複数ライン毎の画素の信号を間引いた1フィールドの信号を前記撮像手段より読み出す第２の読み出しモードと、前記第２の読み出しモードよりも間引くライン数を多くして1フィールドの信号を前記撮像手段より読み出す第３の読み出しモードとで駆動するタイミング発生手段とを有し、
前記タイミング発生手段は、前記駆動手段を、前記第１及び第２の読み出しモードでは第１の駆動周波数で駆動し、前記第３の読み出しモードでは前記第１の駆動周波数よりも低い第２の駆動周波数で駆動することを特徴とする。
【手続補正４】
【補正対象書類名】明細書
【補正対象項目名】００１５
【補正方法】変更
【補正の内容】
【００１５】
図３に図２の撮像素子の画素の色フィルタ配置と電極配置を垂直１２画素分だけ示す。水平方向、垂直方向は、この繰り返しとなる。２１は色フィルタをのせた画素で、赤（Ｒ）と緑（Ｇ）を繰り返す水平画素列と、緑（Ｇ）と青（Ｂ）を繰り返す水平画素列が、垂直方向に交互に配列されている。２２は、垂直ＣＣＤの転送電極を示していて、垂直ＣＣＤの２転送電極毎に１画素が対応している。同じ数字で表している転送電極Ｖ１、Ｖ２Ａ及びＶ２Ｂ、Ｖ３、Ｖ４Ａ及びＶ４Ｂ、Ｖ５、及び、Ｖ６のそれぞれに、６相駆動パルスφＶ１、φＶ２Ａ及びφＶ２Ｂ、φＶ３、φＶ４Ａ及びφＶ４Ｂ、φＶ５、及び、φＶ６を加えることで、６相で転送させることができる。６相駆動パルスのうち、φＶ２Ａ及びφＶ２Ｂ、φＶ４Ａ及びφＶ４Ｂは、垂直ＣＣＤの電荷転送に関わるパルスは、同じものを用いるものとする。また、第１フィールドの読み出しパルスは、読み出し電極を兼ねた転送電極Ｖ２Ａ及びＶ２Ｂに加えられ、第１水平画素列、第４水平画素列、第７水平画素列及び第１０水平画素列の電荷を垂直ＣＣＤに読み出すことができる。第２フィールドの読み出しパルスは、読み出し電極を兼ねた転送電極Ｖ４Ａ及びＶ４Ｂに加えられ、第２水平画素列、第５水平画素列、第８水平画素列及び第１１水平画素列の電荷を垂直ＣＣＤに読み出すことができる。第３フィールドの読み出しパルスは、読み出し電極を兼ねた転送電極Ｖ６に加えられ、第３水平画素列、第６水平画素列、第９水平画素列及び第１２水平画素列の電荷を垂直ＣＣＤに読み出すことができるように構成されている。さらに、転送電極Ｖ２Ａは、第１水平画素列及び第１０水平画素列の電荷を垂直ＣＣＤに読み出し、転送電極Ｖ２Ｂは、第４水平画素列及び第７水平画素列の電荷を垂直ＣＣＤに読み出し、転送電極Ｖ４Ａは、第５水平画素列及び第８水平画素列の電荷を垂直ＣＣＤに読み出し、転送電極Ｖ４Ｂは、第２水平画素列及び第１１水平画素列の電荷を垂直ＣＣＤに読み出すことができるように構成されている。